(57)【要約】【課題】経年変化により突起部がディスク本体もしくはセンターピース部から脱落することがなく、またディスク本体とセンターピースを接合した後の角度調整が可能なテストディスクを提供する。【解決手段】１はディスク本体、２はディスク本体１と一体になって成型された突起部であり、突起部２を長方形としているが、装着されるターンテーブルの形状を考慮し任意の形状で形成されて問題ない。テストディスクを、ディスク本体１と一体になって成型された突起部２がディスクモータ４上のターンテーブル５と接触するように装着することで、ターンテーブル５に対してディスク本体１が所定の角度を保持することができる。さらに、突起部２を任意に切削することでターンテーブル５とディスク本体の角度を調整することができる。【選択図】図１
2005302159.tif 000002
【特許請求の範囲】
【請求項１】
光ディスク装置を評価するためのテストディスクにおいて、前記テストディスクのクランプ領域に前記テストディスクと一体になって成型された突起部をもち、前記光ディスク装置のターンテーブルに前記テストディスクを装着した際に、前記突起部と前記ターンテーブルが接触することで前記ターンテーブルと前記テストディスクが所定の角度を保持する事を特徴とするテストディスク。
【請求項２】
光ディスク装置を評価するためのテストディスクにおいて、ディスク本体と、前記光ディスク装置のターンテーブルと接触するセンターピースを勘合させる構造を持つと共に、前記センターピースと一体になって成型された突起部をもち、前記ターンテーブルに前記テストディスクを装着した際に、前記突起部と前記ターンテーブルが接触することで前記ターンテーブルと前記ディスク本体が所定の角度を保持する事を特徴とするテストディスク。
【発明の詳細な説明】
【技術分野】
【０００１】
本発明は、光ディスク装置の再生性能もしくは記録性能の評価に使用するテストディスクに関する。
【背景技術】
【０００２】
近年、光による情報の記録再生を行う光ディスク関連の製品が市場に普及するようになってきて、市場に存在する様々な状態の光ディスクを再生もしくは記録する必要が生じている。一般に、光ディスクおよび光ディスク装置は互いが所定の規格を満足することを前提に構成されるが、光ディスク装置がその規格を満足しているかを評価する、もしくは光ディスク装置の再生限界性能を評価することが要求される。その規格における各種評価に使用するテストディスクの一つとして、光ディスク装置のターンテーブルと光ディスクが所定の角度を保持するよう構成されたテストディスクが必要となる。
【０００３】
以下図面を参照しながら、上述した従来のテストディスクの一例について説明する。図３、図４は従来のテストディスク例１、例２の構成および実装状態図を示すものである。図３において、１はディスク本体、２はディスク本体上に接着剤等の手段を用いて接合された金属製もしくは樹脂製等の突起部である。図４において、１はディスク本体、３はセンターピースであり、ディスク本体１とセンターピース３は所定の角度を所定の角度となるように接着剤等の手段を用いて接合されている。
【０００４】
以上のように構成されたテストディスクについて、以下その動作について説明する。
図３（ａ）および図３（ｂ）のようなディスク本体に接着剤等の手段を用いて突起部を接合する方式では、図３（ｃ）のようにディスク本体１に接合された突起部２がディスクモータ４上のターンテーブル５と接触することで、ターンテーブル５に対してディスク本体１が所定の角度を保持することができる。さらに、突起部２を任意に切削することでターンテーブル５とディスク本体の角度を調整することができる。
【０００５】
また図４（ａ）および図４（ｂ）のようなディスク本体とセンターピースを所定の角度で接合する方式では、図４（ｃ）のように通常ターンテーブル５とセンターピース３が角度ゼロとなるため、ターンテーブル５とディスク本体１が所定の角度を保持することができる。
【発明の開示】
【発明が解決しようとする課題】
【０００６】
しかしながら上記のようなテストディスクにおいて、ディスク本体に接着剤等の手段を用いて突起部を接合する方式では、経年変化で接合部が劣化し突起部がディスク本体もしくはセンターピース部から脱落するという課題を有していた。またディスク本体とセンターピースを所定の角度で接合する方式では、接合後の角度調整ができないという課題を有していた。
【０００７】
本発明は、従来のテストディスクのこのような課題を考慮し、経年変化により突起部がディスク本体もしくはセンターピース部から脱落することがなく、またディスク本体とセンターピースを接合した後の角度調整が可能なテストディスクの提供を目的とするものである。
【課題を解決するための手段】
【０００８】
この課題を解決するために本発明のテストディスクは、ディスク本体もしくはセンターピースと一体になって成型された突起部をもち、ターンテーブルにテストディスクを装着した際に、突起部とターンテーブルが接触することでターンテーブルとディスク本体が所定の角度を保持するように構成したものである。
【０００９】
これにより本発明のテストディスクは、経年変化により突起部がディスク本体もしくはセンターピースから脱落することがなく、またディスク本体とセンターピースを接合した後であっても、突起部を任意に切削することによりターンテーブルとディスク本体の角度調整が可能なテストディスクを実現することができる。
【発明の効果】
【００１０】
以上のように本発明によれば、ディスク本体もしくはセンターピースと一体になって成型された突起部をもち、ターンテーブルにテストディスクを装着した際に、突起部とターンテーブルが接触することでターンテーブルとディスク本体が所定の角度を保持するように構成したことにより、経年変化により突起部がディスク本体もしくはセンターピースから脱落することがなく、またディスク本体とセンターピースを接合した後であっても、突起部を任意に切削することによりターンテーブルとディスク本体の角度調整が可能なテストディスクを実現することができるという有利な効果が得られる。
【発明を実施するための最良の形態】
【００１１】
本発明の請求項１に記載の発明は、光ディスク装置を評価するためのテストディスクにおいて、テストディスクのクランプ領域にテストディスクと一体になって成型された突起部をもち、ターンテーブルにテストディスクを装着した際に、突起部とターンテーブルが接触することでターンテーブルとテストディスクが所定の角度を保持するように構成したことを特徴とするテストディスクであり、経年変化により突起部がディスク本体から脱落することがなく、また突起部を任意に切削することによりターンテーブルとディスク本体の角度調整が可能なテストディスクを実現することができるという作用を有する。
【００１２】
本発明の請求項２に記載の発明は、光ディスク装置を評価するためのテストディスクにおいて、ディスク本体と、光ディスク装置のターンテーブルと接触するセンターピースを勘合させる構造を持つと共に、センターピースと一体になって成型された突起部をもち、ターンテーブルにテストディスクを装着した際に、突起部とターンテーブルが接触することでターンテーブルとディスク本体が所定の角度を保持する事を特長とするテストディスクであり、経年変化により突起部がセンターピースから脱落することがなく、またディスク本体とセンターピースを接合した後であっても、突起部を任意に切削することによりターンテーブルとディスク本体の角度調整が可能なテストディスクを実現することができるという作用を有する。
【００１３】
以下、本発明の実施の形態について、図１および図２を用いて説明する。
【００１４】
（実施の形態１）
図１（ａ）、図１（ｂ）は本発明の実施の形態１におけるテストディスクの平面図、断面図を示し、図１（ｃ）はその使用例を示している。
【００１５】
図１（ａ）、図１（ｂ）において、１はディスク本体、２はディスク本体１と一体になって成型された突起部であり、図１（ｂ）では突起部２を長方形としているが、装着されるターンテーブルの形状を考慮し任意の形状で形成されて問題ない。
【００１６】
以上のように構成されたテストディスクについて、以下その動作を説明する。図１（ａ）、図１（ｂ）のように構成されたテストディスクを、図１（ｃ）のようにディスク本体１と一体になって成型された突起部２がディスクモータ４上のターンテーブル５と接触するように装着することで、ターンテーブル５に対してディスク本体１が所定の角度を保持することができる。さらに、突起部２を任意に切削することでターンテーブル５とディスク本体の角度を調整することができる。
【００１７】
（実施の形態２）
図２（ａ）、図２（ｂ）は本発明の実施の形態２におけるテストディスクの平面図、断面図を示し、図２（ｃ）はその使用例を示している。図２（ａ）、図２（ｂ）において、１はディスク本体、３はセンターピース、２はセンターピース３と一体になって成型された突起部であり、図２（ｂ）では突起部２を長方形としているが、装着されるターンテーブルの形状を考慮し任意の形状で形成されて問題ない。
【００１８】
以上のように構成されたテストディスクについて、以下その動作を説明する。図２（ａ）、図２（ｂ）のように構成されたテストディスクを、図２（ｃ）のようにセンターピース３と一体になって成型された突起部２がディスクモータ４上のターンテーブル５と接触するように装着することで、ターンテーブル５に対してディスク本体１が所定の角度を保持することができる。さらに、突起部２を任意に切削することでターンテーブル５とディスク本体の角度を調整することができる。
【００１９】
このように本発明のテストディスクは、ディスク本体もしくはセンターピースと一体になって成型された突起部をもち、ターンテーブルにテストディスクを装着した際に、突起部とターンテーブルが接触することでターンテーブルとディスク本体が所定の角度を保持するように構成したことにより、経年変化により突起部がディスク本体もしくはセンターピースから脱落することがなく、またディスク本体とセンターピースを接合した後であっても、突起部を任意に切削することによりターンテーブルとディスク本体の角度調整が可能なテストディスクを実現することができる。
【産業上の利用可能性】
【００２０】
本発明にかかるテストディスクは、経年変化により突起部がディスク本体もしくはセンターピースから脱落することがなく、またディスク本体とセンターピースを接合した後であっても、突起部を任意に切削することによりターンテーブルとディスク本体の角度調整が可能なテストディスクを実現することができるので、光ディスク再生装置の他に、光磁気ディスク記録再生装置やハードディスク記録再生装置などにも適用できる。
【図面の簡単な説明】
【００２１】
【図１】本発明の一実施の形態１によるテストディスクの構成および実装状態を示す模式図
【図２】本発明の一実施の形態２によるテストディスクの構成および実装状態を示す模式図
【図３】従来のテストディスク例１の構成および実装状態を示す模式図
【図４】従来のテストディスク例２の構成および実装状態を示す模式図
【符号の説明】
【００２２】
１    ディスク本体
２    突起部
３    センターピース
４    ディスクモータ
５    ターンテーブル
【図１】
2005302159.tif 000003
【図２】
2005302159.tif 000004
【図３】
2005302159.tif 000005
【図４】
2005302159.tif 000006